(57)【特許請求の範囲】
【請求項１】
上面部の一部に形成された開口部を有し、内側に家庭用薄葉紙を収納する容器本体と、
前記開口部を開閉するように前記容器本体に回動自在に設けられ、前記容器本体に収納された家庭用薄葉紙を取り出すための取出口が形成された板状の内蓋部と、
前記取出口を開閉するように前記容器本体に設けられた板状の外蓋部と、を備え、
詰め替え用薄葉紙を、前記内蓋部を所定方向に回動させて開状態とされた前記開口部を介して前記容器本体に収納可能とされていることを特徴とする家庭用薄葉紙収納容器。
【請求項２】
前記内蓋部は、前記容器本体内から引き出される家庭用薄葉紙を摘むための指が挿通される挿通部を備えることを特徴とする請求項１に記載の家庭用薄葉紙収納容器。
【請求項３】
前記取出口は、前記挿通部に連続して形成されるとともに、前記挿通部を介して引き出された前記家庭用薄葉紙を係止可能に構成されていることを特徴とする請求項２に記載の家庭用薄葉紙収納容器。
【請求項４】
前記容器本体と前記外蓋部の隙間を封止する外蓋気密手段、及び／又は、前記容器本体と前記内蓋部の隙間を封止する内蓋気密手段が設けられていることを特徴とする請求項１〜３の何れか一項に記載の家庭用薄葉紙収納容器。
【発明の詳細な説明】
【技術分野】
【０００１】
本発明は、ウェットティシューやウェットシート等の家庭用薄葉紙を収納する家庭用薄用紙収納容器に関する。
【背景技術】
【０００２】
従来、家屋の床やトイレ、或いは人体などを拭くための家庭用薄葉紙を収納する家庭用薄葉紙収納容器が知られている。
家庭用薄葉紙収納容器として、家庭用薄葉紙を収容する容器本体と、容器本体に収納された家庭用薄葉紙の取出口を有し、容器本体に着脱自在に取り付けられた蓋体とを備えたものがある（例えば、特許文献１、２参照）。
【特許文献１】特開平７−２０６０５５号公報
【特許文献２】特開２０００−３５５３４０号公報
【発明の開示】
【発明が解決しようとする課題】
【０００３】
しかしながら、上記特許文献１、２等の場合、家庭用薄葉紙の詰め替えの際には、容器本体から蓋体を取り外し、家庭用薄葉紙の収納後に蓋体を取り付ける必要があり、その作業が煩わしいといった問題がある。
【０００４】
そこで、本発明の課題は、家庭用薄葉紙の詰め替え作業を容易に行うことができる家庭用薄葉紙収納容器を提供することである。
【課題を解決するための手段】
【０００５】
上記課題を解決するため、請求項１に記載の発明の家庭用薄葉紙収納容器は、
上面部の一部に形成された開口部を有し、内側に家庭用薄葉紙を収納する容器本体と、
前記開口部を開閉するように前記容器本体に回動自在に設けられ、前記容器本体に収納された家庭用薄葉紙を取り出すための取出口が形成された板状の内蓋部と、
前記取出口を開閉するように前記容器本体に設けられた板状の外蓋部と、を備え、
詰め替え用薄葉紙を、前記内蓋部を所定方向に回動させて開状態とされた前記開口部を介して前記容器本体に収納可能とされていることを特徴としている。
【０００６】
請求項２に記載の発明は、請求項１に記載の家庭用薄葉紙収納容器において、
前記内蓋部は、前記容器本体内から引き出される家庭用薄葉紙を摘むための指が挿通される挿通部を備えることを特徴としている。
【０００７】
請求項３に記載の発明は、請求項２に記載の家庭用薄葉紙収納容器において、
前記取出口は、前記挿通部に連続して形成されるとともに、前記挿通部を介して引き出された前記家庭用薄葉紙を係止可能に構成されていることを特徴としている。
【０００８】
請求項４に記載の発明は、請求項１〜３の何れか一項に記載の家庭用薄葉紙収納容器において、
前記容器本体と前記外蓋部の隙間を封止する外蓋気密手段、及び／又は、前記容器本体と前記内蓋部の隙間を封止する内蓋気密手段が設けられていることを特徴としている。
【発明の効果】
【０００９】
請求項１に記載の発明によれば、複数枚の家庭用薄葉紙からなる詰め替え用薄葉紙を、容器本体に回動自在に設けられた内蓋部を所定方向に回動させて開状態とされた開口部を介して容器本体に収納可能とされているので、内蓋部を容器本体から取り外すことなく所定方向に回動させるだけで、容器本体の開口部を開状態として、当該開口部を介して詰め替え用薄葉紙を容器本体に収納することができる。
従って、詰め替え用薄葉紙の収納作業を簡便なものとすることができ、家庭用薄葉紙の詰め替え作業を容易に行うことができる。
【００１０】
請求項２に記載の発明によれば、請求項１に記載の発明と同様の効果が得られるのは無論のこと、特に、内蓋部に、容器本体内から引き出される家庭用薄葉紙を摘むための指が挿通される挿通部が備えられているので、容器本体の内側に家庭用薄葉紙が落ち込んでしまった場合であっても、使用者は、内蓋部を容器本体から取り外すことなく挿通部を介して容器本体の内側に指を挿入して家庭用薄葉紙の一部を掴んで引き出すことができる。
【００１１】
請求項３に記載の発明によれば、請求項２に記載の発明と同様の効果が得られるのは無論のこと、特に、家庭用薄葉紙を係止可能に構成された取出口が、挿通部に連続して形成されているので、挿通部を介して引き出された家庭用薄葉紙を取出口に容易に係止させることができ、家庭用薄葉紙の詰め替え作業を容易に行うことができる。
また、引き出された家庭用薄葉紙を取出口に係止させることで、当該家庭用薄葉紙が容器本体の内側に落ち込んでしまうことを適正に防止することができる。
【００１２】
請求項４に記載の発明によれば、請求項１〜３の何れか一項に記載の発明と同様の効果が得られるのは無論のこと、特に、容器本体と外蓋部の隙間を封止する外蓋気密手段、及び／又は、容器本体と内蓋部の隙間を封止する内蓋気密手段が設けられているので、外蓋気密手段及び／又は内蓋気密手段によって、容器本体の気密性を確保して、容器本体内に収納されたウェットタイプの家庭用薄葉紙の乾燥を防止することができるとともに、その家庭用薄葉紙に異物が付着することを適正に防止することができる。
【発明を実施するための最良の形態】
【００１３】
以下に、本発明について、図面を用いて具体的な態様を説明する。ただし、発明の範囲は、図示例に限定されない。
【００１４】
［実施形態１］
図１は、本発明を適用した実施形態１の家庭用薄葉紙収納容器１００を示す斜視図であり、図２は、図１のII−II線における家庭用薄葉紙収納容器１００の断面図である。また、図３は、家庭用薄葉紙収納容器１００の外蓋体３を開いた状態を示す斜視図であり、図４は、図３のIV−IV線における家庭用薄葉紙収納容器１００の断面図である。また、図５は、家庭用薄葉紙収納容器１００の外蓋体３及び内蓋体２を開いた状態を示す断面図である。
なお、以下の説明では、家庭用薄葉紙収納容器１００の外蓋体３の外蓋回動軸３１が設けられている側を後側とし、反対側を手前側とする。さらに、正面視にて、前後方向に直交する一方向を左右方向（幅方向）とし、前後方向及び左右方向の双方に直交する方向を上下方向とする。
【００１５】
実施形態１の家庭用薄葉紙収納容器１００は、例えば、内側にウェットシートやウェットティッシュ等の家庭用薄葉紙Ｐを収納するものである。具体的には、図１〜図５に示すように、家庭用薄葉紙収納容器１００は、内側に上下方向の軸心に沿ってロール状に巻かれた複数枚の家庭用薄葉紙Ｐ、…を収納する容器本体１と、容器本体１に設けられた開口部１１を閉塞するように当該容器本体１に回動自在に取り付けられた内蓋体２と、内蓋体２に設けられた取出口２１を閉塞するように容器本体１に回動自在に取り付けられた外蓋体３とを備え、内蓋体２及び外蓋体３を閉じた状態にて外形が略円柱状に形成されている（図１参照）。
【００１６】
容器本体１は、下底部を有するとともに上端部に開口部１１が設けられた有底円筒状をなしている。
また、容器本体１は、例えば、ＰＥ（ポリエチレン）やＰＰ（ポリプロピレン）、或いは、ＡＢＳ樹脂等から形成されているが、容器本体１の材料はこれに限られるものではない。
【００１７】
容器本体１の上端部には、上面部から所定の深さ座刳られた座刳り部１２が形成され、この座刳り部１２に開口部１１が形成されるとともに、閉じた状態の外蓋体３及び内蓋体２が配置されるようになっている。
【００１８】
座刳り部１２の奥側上端縁部には、外蓋体３の外蓋回動軸３１を軸支する外蓋軸受部１３が設けられている。
外蓋軸受部１３は、外蓋体３が左右方向の軸心回りに回動自在となるように外蓋回動軸３１を軸支するものである。
【００１９】
ここで、外蓋体３について説明する。
外蓋体３は、平面視にて略円形状をなし、全体に亘って略等しい厚さを具備する円板状に形成されている。
また、外蓋体３は、例えば、ＰＥやＰＰやＰＥＴ（ポリエチレンテレフタレート）等から形成されているが、外蓋体３の材料はこれに限られるものではない。
【００２０】
外蓋体３の奥側端部には、左右方向に延在する外蓋回動軸３１が形成されている。
そして、外蓋体３は、外蓋回動軸３１を軸心として回動自在となっている（図１〜図４等参照）。具体的には、外蓋体３は、取出口２１を閉塞するように前後方向及び左右方向に対して略平行となる位置まで手前側に回動自在となっている。このとき、外蓋体３の上面は容器本体１の上面部と略面一となるとともに、当該外蓋体３の下面の所定位置は、回動規制部１５（後述）の上端に接触した状態となる。
また、外蓋体３は、上下方向及び左右方向に対して略平行となる位置まで奥側に回動自在となっている。なお、外蓋体３の奥側に対する回動角度は、これに限られるものではないが、家庭用薄葉紙Ｐの詰め替え作業の簡便化を図る上では、開口部１１を介して詰め替え用薄葉紙Ｑ（図５参照）を挿入する際に邪魔にならない程度まで奥側に回動自在とされるのが好ましい。
【００２１】
また、座刳り部１２の手前側には、外蓋体３及び内蓋体２の縁部に指や爪等を引っかけるための回動用凹部１４が形成されている。
回動用凹部１４は、外蓋体３及び内蓋体２の下面よりも深くなるように凹んでおり、回動用凹部１４の奥側縁部が内蓋体２の手前側の端部よりも奥側に配置されている。
これにより、外蓋体３や内蓋体２が閉じられた状態にて、回動用凹部１４に指や爪を入れて外蓋体３や内蓋体２の縁部に引っかけて当該外蓋体３や内蓋体２を左右方向の軸心回りに上方向に回動させることができるようになっている。
【００２２】
また、座刳り部１２には、回動用凹部１４を挟むように内蓋体２の回動を規制する回動規制部１５、１５が形成されている。
回動規制部１５は、開口部１１よりも高い位置にて座刳り部１２の内面から内向きに突出するように形成されている。そして、回動規制部１５は、内蓋体２を前後方向及び左右方向に対して略平行となる位置まで回動させて閉じた状態にて、内蓋体２の縁部に係止する。
これにより、容器本体１内から家庭用薄葉紙Ｐを引き出す際に、家庭用薄葉紙Ｐとともに内蓋体２が引っ張られて開状態となるように回動することを規制するようになっている。
【００２３】
また、回動用凹部１４の奥側縁部の起立壁に連続して、開口部１１を構成する開口構成壁部１６が形成されている。
開口構成壁部１６は、その内周面にて開口部１１を構成しており、その上端部の高さが略等しくなるように前後方向及び左右方向に対して略平行に形成されている。
【００２４】
開口部１１は、平面視にて略円形状に形成されている。
開口部１１の内径は、複数枚の家庭用薄葉紙Ｐ、…がロール状に巻かれた詰め替え用薄葉紙Ｑの外径と略等しいか、或いはそれよりも大径に形成されているのが好ましい。なお、開口部１１の内径が詰め替え用薄葉紙Ｑの外径よりも小さい場合であっても、詰め替え用薄葉紙Ｑを径方向に圧縮しながら収納することで開口部１１よりも大径の詰め替え用薄葉紙Ｑも収納することができる。
【００２５】
また、開口構成壁部１６の奥側下端部には、内蓋体２の内蓋回動軸２３を軸支する内蓋軸受部１７が設けられている。
内蓋軸受部１７は、内蓋体２が左右方向の軸心回りに回動自在となるように内蓋回動軸２３を軸支するものである。
【００２６】
ここで、内蓋体２について説明する。
また、内蓋体２は、平面視にて開口部１１よりも大径の略円形状に形成され、全体に亘って略等しい厚さを具備する円板状に形成された内蓋本体部２２を具備している。
内蓋本体部２２の略中央部には、家庭用薄葉紙Ｐの取出口２１が形成されている。
【００２７】
取出口２１は、当該内蓋本体部２２を上下方向に貫通して、平面視略十字状に形成されている。そして、取出口２１は、容器本体１内から引き出された家庭用薄葉紙Ｐを係止可能となっている。
【００２８】
内蓋本体部２２の奥側端部は下向きに湾曲されてなり、その下端部に内蓋回動軸２３が形成されている。
内蓋回動軸２３は、左右方向に延在して形成されている。そして、内蓋体２は、内蓋回動軸２３を軸心として回動自在となっている（図３〜図５等参照）。具体的には、内蓋体２は、開口部１１を閉塞するように前後方向及び左右方向に対して略平行となる位置まで手前側に回動自在となっている。このとき、内蓋体２の下面縁部は開口部１１を構成する開口構成壁部１６の上端部に接触した状態となるとともに、内蓋体２の上面縁部の所定位置は回動規制部１５に係止された状態となる。
また、内蓋体２は、上下方向及び左右方向に対して略平行となる位置まで奥側に回動自在となっている。なお、内蓋体２の奥側に対する回動角度は、これに限られるものではないが、家庭用薄葉紙Ｐの詰め替え作業の簡便化を図る上では、開口部１１を介して詰め替え用薄葉紙Ｑを挿入する際に邪魔にならない程度まで奥側に回動自在とされるのが好ましい。
【００２９】
また、内蓋体２は、例えば、ＰＥやＰＰやＰＥＴ等から形成されているが、内蓋体２の材料はこれに限られるものではない。
【００３０】
次に、家庭用薄葉紙Ｐの詰め替え作業について説明する。
この詰め替え作業においては、複数枚の家庭用薄葉紙Ｐ、…が上下方向の軸心に沿ってロール状に巻かれた詰め替え用薄葉紙Ｑを用いるものとする。
【００３１】
先ず、外蓋体３を詰め替え用薄葉紙Ｑの挿入作業の邪魔にならない位置、例えば、上下方向及び左右方向に対して略平行となる位置まで外蓋回動軸３１を軸心として奥側に回動させる（図３及び図４参照）。
続けて、回動規制部１５による内蓋体２の係止を解除して、当該内蓋体２を詰め替え用薄葉紙Ｑの挿入作業の邪魔にならない位置、例えば、上下方向及び左右方向に対して略平行となる位置まで内蓋回動軸２３を軸心として奥側に回動させる（図５参照）。
これにより、開口部１１を介して容器本体１の内側が露出された状態となる。
【００３２】
次に、詰め替え用薄葉紙Ｑを開口部１１を介して容器本体１の内側に挿入することで、詰め替え用薄葉紙Ｑが容器本体１の内側に収容された状態となる。
【００３３】
そして、詰め替え用薄葉紙Ｑの最初に引き出される家庭用薄葉紙Ｐの端部を内蓋体２の取出口２１に下側（裏面側）から挿通して、上面より所定の長さ突出させる。
その後、内蓋体２を内蓋回動軸２３を軸心として手前側に回動させ、内蓋体２の上面縁部を回動規制部１５に係止させることで、内蓋体２が前後方向及び左右方向に対して略平行に配置される（図３及び図４参照）。
【００３４】
なお、詰め替え用薄葉紙Ｑを収納後、家庭用薄葉紙Ｐをすぐに使用しない場合には、外蓋体３を外蓋回動軸３１を軸心として前後方向及び左右方向に対して略平行となる位置まで手前側に回動させることで、内蓋体２の取出口２１を閉塞させる（図１及び図２参照）。
【００３５】
以上のように、実施形態１の家庭用薄葉紙収納容器１００によれば、複数枚の家庭用薄葉紙Ｐ、…からなる詰め替え用薄葉紙Ｑを、容器本体１に回動自在に設けられた内蓋体２を上向きに回動させて開状態とされた開口部１１を介して容器本体１に収納可能とされているので、内蓋体２を容器本体１から取り外すことなく上向きに回動させるだけで、容器本体１の開口部１１を開状態として、当該開口部１１を介して詰め替え用薄葉紙Ｑを容器本体１に収納することができる。
従って、詰め替え用薄葉紙Ｑの収納作業を簡便なものとすることができ、家庭用薄葉紙Ｐの詰め替え作業を容易に行うことができる。
【００３６】
［実施形態２］
以下に、実施形態２の家庭用薄葉紙収納容器２００について、図６及び図７を参照して説明する。
図６は、実施形態２の家庭用薄葉紙収納容器２００の外蓋体３を開いた状態を示す断面図である。また、図７は、家庭用薄葉紙収納容器２００の外蓋体３及び内蓋体２０２を開いた状態を示す断面図である。
【００３７】
実施形態２の家庭用薄葉紙収納容器２００は、図６及び図７に示すように、内蓋体２０２が容器本体２０１に対して内向きに回動自在に構成されている。
なお、実施形態２の家庭用薄葉紙収納容器２００は、容器本体２０１の開口構成壁部２１６の形状及び内蓋体２０２の構成以外の点で上記実施形態１の家庭用薄葉紙収納容器１００と略同様の構成をなし、その説明は省略する。
【００３８】
容器本体２０１の開口構成壁部２１６の上端部には、その下面が内蓋体２０２の上面縁部に接触する縁接触部２１８が形成されている。
縁接触部２１８は、開口構成壁部２１６の上端部から内側に所定の長さ突出して環状に形成され、前後方向及び左右方向に対して略平行となっている。
【００３９】
開口構成壁部２１６の奥側下端部には、内蓋体２０２が容器本体２０１の内側にて回動自在となるように内蓋回動軸２２３を軸支する内蓋軸受部１７が設けられている。
【００４０】
内蓋体２０２は、平面視にて略円形状をなし、全体に亘って略等しい厚さを具備する円板状に形成されている。また、内蓋体２０２の奥側端部には、内蓋回動軸２２３が形成されている。
そして、内蓋体２０２は、容器本体２０１の内側にて、内蓋回動軸２２３を軸心として回動自在となっている。具体的には、内蓋体２０２は、開口部２１１を閉塞するように前後方向及び左右方向に対して略平行となる位置まで手前側に回動自在となっている。このとき、内蓋体２０２の上面縁部は開口構成壁部２１６の縁接触部２１８の下面に接触した状態となり、これにより、内蓋体２０２の上方向への回動が規制された状態となる。
また、内蓋体２０２は、上下方向及び左右方向に対して略平行となる位置まで奥側に回動自在となっている。
【００４１】
次に、家庭用薄葉紙Ｐの詰め替え作業について説明する。
先ず、外蓋体３を、容器本体２０１の外側にて、詰め替え用薄葉紙Ｑの挿入作業の邪魔にならない位置、例えば、上下方向及び左右方向に対して略平行となる位置まで外蓋回動軸３１を軸心として上向きに回動させる（図６参照）。
続けて、内蓋体２０２を、容器本体２０１の内側にて、詰め替え用薄葉紙Ｑの挿入作業の邪魔にならない位置、例えば、上下方向及び左右方向に対して略平行となる位置まで内蓋回動軸２２３を軸心として下向きに回動させる（図７参照）。
これにより、開口部２１１を介して容器本体２０１の内側が露出された状態となる。
【００４２】
次に、詰め替え用薄葉紙Ｑを開口部２１１を介して容器本体２０１の内側に挿入することで、詰め替え用薄葉紙Ｑが容器本体２０１の内側に収容された状態となる。
【００４３】
そして、詰め替え用薄葉紙Ｑの最初に引き出される家庭用薄葉紙Ｐの端部を内蓋体２０２の取出口２１に下側（裏面側）から挿通して、上面より所定の長さ突出させる。
その後、内蓋体２０２を内蓋回動軸２２３を軸心として上向きに手前側に回動させ、内蓋体２０２の上面縁部を開口構成壁部２１６の縁接触部２１８の下面に接触させることで、内蓋体２０２が前後方向及び左右方向に対して略平行に配置される（図６参照）。
【００４４】
なお、詰め替え用薄葉紙Ｑを収納後、家庭用薄葉紙Ｐをすぐに使用しない場合には、外蓋体３を外蓋回動軸３１を軸心として下向きに前後方向及び左右方向に対して略平行となる位置まで手前側に回動させることで、内蓋体２０２の取出口２１を閉塞させる。
【００４５】
以上のように、実施形態２の家庭用薄葉紙収納容器２００によれば、容器本体２０１に回動自在に設けられた内蓋体２０２を下向きに回動させて開状態とされた開口部２１１を介して容器本体２０１に詰め替え用薄葉紙Ｑを収納可能とされているので、内蓋体２０２を容器本体２０１から取り外すことなく下向きに回動させるだけで、容器本体２０１の開口部２１１を開状態として、当該開口部２１１を介して詰め替え用薄葉紙Ｑを容器本体２０１に収納することができる。
従って、詰め替え用薄葉紙Ｑの収納作業を簡便なものとすることができ、家庭用薄葉紙Ｐの詰め替え作業を容易に行うことができる。
【００４６】
なお、上記実施形態２にあっては、内蓋体２０２が容器本体２０１の内側にて回動自在に構成されたものを例示したが、これに限られるものではなく、さらに実施形態１の家庭用薄葉紙収納容器１００のように容器本体２０１の外側でも回動自在に構成されても良い。即ち、内蓋体を略１８０°回動自在に構成しても良く、これにより、内蓋体を容器本体に対して外側に回動させても内側に回動させても家庭用薄葉紙Ｐの詰め替え作業を適正に行うことができることとなり、詰め替え作業の自由度を向上させることができる。
【００４７】
また、本発明は、上記実施形態に限定されることなく、本発明の趣旨を逸脱しない範囲において、種々の改良並びに設計の変更を行っても良い。
以下に、家庭用薄葉紙収納容器の変形例について図８〜図１０を参照して説明する。
【００４８】
＜変形例１＞
図８は、変形例１の家庭用薄葉紙収納容器３００の外蓋体３０３を閉じた状態を示す断面図である。
変形例１の家庭用薄葉紙収納容器３００は、図８に示すように、外蓋体３０３の下面には、容器本体２０１と外蓋体３０３の隙間を封止する外気密部（外蓋気密手段）３２が設けられている。
なお、変形例１の家庭用薄葉紙収納容器３００は、外蓋体３０３の構成以外の点で上記実施形態２の家庭用薄葉紙収納容器２００と略同様の構成をなし、その説明は省略する。
【００４９】
外気密部３２は、外蓋体３０３を閉じた状態にて、開口構成壁部２１６の外周壁に全周に亘って接触するように環状に形成されている。これにより、容器本体２０１と外蓋体３０３の隙間を封止するようになっている。
【００５０】
また、外気密部３２の突出長は、外蓋体３０３を閉じた状態にて、座刳り部１２の底面に接触する程度に設定されている。これにより、容器本体２０１と外蓋体３０３の隙間の封止をより適正に行うことができる。
【００５１】
外気密部３２の材料としては、例えば、ゴムや熱可塑性エラストマー等が好ましい。
なお、外気密部３２は、外蓋体３０３の底面に別部材として取り付けられても良いし、外蓋体３０３に一体となって設けられても良い。
【００５２】
従って、変形例１の家庭用薄葉紙収納容器３００によれば、容器本体２０１と外蓋体３０３の隙間を封止する外気密部３２が設けられているので、外気密部３２によって、容器本体２０１の気密性を確保して、容器本体２０１内に収納されたウェットタイプの家庭用薄葉紙Ｐの乾燥を防止することができるとともに、その家庭用薄葉紙Ｐに異物が付着することを適正に防止することができる。
【００５３】
なお、上記変形例１にあっては、容器本体２０１と外蓋体３０３の隙間を封止する外気密部３２を設けるようにしたが、これに代えて、或いはこれに加えて、容器本体と内蓋体の隙間を封止する内蓋気密手段を設けるようにしても良い。
【００５４】
＜変形例２＞
図９は、変形例２の家庭用薄葉紙収納容器４００の外蓋体３を開いた状態を示す斜視図である。
変形例２の家庭用薄葉紙収納容器４００は、図９に示すように、内蓋体４０２に平面視略円形状の取出口４２１が形成されている。
取出口４２１の内径は、容器本体１内から引き出された家庭用薄葉紙Ｐを係止可能な程度となっている。
なお、変形例２の家庭用薄葉紙収納容器４００は、内蓋体４０２の取出口４２１の形状以外の点で上記実施形態１の家庭用薄葉紙収納容器１００と略同様の構成をなし、その説明は省略する。
【００５５】
従って、このような構成の家庭用薄葉紙収納容器４００であっても、上記実施形態１、２と同様に、詰め替え用薄葉紙Ｑの収納作業を簡便なものとすることができ、家庭用薄葉紙Ｐの詰め替え作業を容易に行うことができる。
【００５６】
＜変形例３＞
図１０は、変形例３の家庭用薄葉紙収納容器５００の外蓋体３を開いた状態を示す斜視図である。
変形例３の家庭用薄葉紙収納容器５００は、図１０に示すように、内蓋体５０２に容器本体１の内側に存する家庭用薄葉紙Ｐを摘むための指が挿通される挿通部５２４が形成されている。
なお、変形例３の家庭用薄葉紙収納容器５００は、内蓋体５０２の構成以外の点で上記実施形態１の家庭用薄葉紙収納容器１００と略同様の構成をなし、その説明は省略する。
【００５７】
挿通部５２４は、内蓋体５０２の内蓋本体部５２２の内蓋回動軸２３よりも右手前側であって回動規制部１５よりも右奥側の部分に設けられ、外周縁部から中心側に平面視にて略扇形状に切り欠かれて形成されている。
また、挿通部５２４の大きさは、家庭用薄葉紙Ｐを摘むための指が挿通される程度に形成されている。
なお、挿通部５２４の位置及び大きさは、上記したものに限られるものではなく、適宜任意に変更することができる。
【００５８】
また、挿通部５２４の扇形の頂点に連続して前後方向に略沿って延在するスリット５２５が形成されている。このスリット５２５は、内蓋本体部５２２を上下方向に貫通するように形成されている。
そして、スリット５２５の先端部、即ち、挿通部５２４と反対側の端部には、取出口５２１が連設されている。
このように、取出口５２１は、挿通部５２４に連続して形成されており、挿通部５２４を介して使用者の指等により摘まれて引き出された家庭用薄葉紙Ｐを係止可能となっている。
【００５９】
従って、変形例３の家庭用薄葉紙収納容器５００によれば、内蓋体５０２に、容器本体１内から引き出される家庭用薄葉紙Ｐを摘むための指が挿通される挿通部５２４が備えられているので、容器本体１の内側に家庭用薄葉紙Ｐが落ち込んでしまった場合であっても、使用者は、内蓋体５０２を容器本体１から取り外すことなく挿通部５２４を介して容器本体１の内側に指を挿入して家庭用薄葉紙Ｐの一部を掴んで引き出すことができる。
また、家庭用薄葉紙Ｐを係止可能に構成された取出口５２１がスリット５２５を介して挿通部５２４に連続して形成されているので、挿通部５２４を介して引き出された家庭用薄葉紙Ｐを取出口５２１に容易に係止させることができ、これにより、家庭用薄葉紙Ｐが容器本体１の内側に再度落ち込んでしまうことを適正に防止することができる。
【００６０】
また、家庭用薄葉紙Ｐの詰め替え作業においても、挿通部５２４を介して引き出された家庭用薄葉紙Ｐを取出口５２１に容易に係止させることができるので、当該詰め替え作業を簡便なものとすることができる。
【００６１】
なお、上記変形例３にあっては、内蓋体５０２に挿通部５２４に連続して家庭用薄葉紙Ｐを係止可能な取出口５２１を設けるようにしたが、これに限られるものではなく、取出口５２１を設けるか否かは適宜任意に変更することができる。即ち、例えば、取出口５２１を設けない場合には、挿通部５２４を取出口として家庭用薄葉紙Ｐを容器本体１から引き出すようにしても良い。
【００６２】
また、上記実施形態１、２にあっては、内蓋体２、２０２として、容器本体１、２０１と別部材で設けられたものを例示したが、これに限られるものではなく、例えば、容器本体と一体となって形成されて、弾性変形により回動自在に構成されても良い。
【００６３】
さらに、上記実施形態１、２にあっては、外蓋体３として、容器本体１、２０１と別部材で設けられたものを例示したが、これに限られるものではなく、例えば、容器本体と一体となって形成されて、弾性変形するように構成されても良い。
また、外蓋体３を容器本体１、２０１に対して回動自在となるように配設したが、これに限られるものではなく、内蓋体２、２０２の取出口２１を開閉自在な構造であれば如何なる構成であっても良い。
【００６４】
さらに、上記実施形態１、２にあっては、内蓋体２、２０２の内蓋回動軸２３が容器本体１、２０１の奥側に取り付けられたものを例示したが、これに限られるものではなく、図１１に示すように、内蓋体６０２の内蓋回動軸６２３が容器本体２０１の手前側に取り付けられたものであっても良い。
また、図１１にあっては、容器本体２０１の開口構成壁部２１６の手前側下端部に、内蓋回動軸６２３を軸支する内蓋軸受部６１７が設けられている。
なお、家庭用薄葉紙収納容器６００として、実施形態２の家庭用薄葉紙収納容器２００のように、内蓋体６０２が容器本体２０１の内側にて回動自在に構成されたものを例示したが、これに限られるものではなく、実施形態１の家庭用薄葉紙収納容器１００のように、内蓋体２が容器本体１の外側にて回動自在に構成されたものであっても良い。
さらに、内蓋回動軸２３の容器本体１に対する取付位置は、手前側端部や奥側端部に限られるものではなく、適宜任意に変更することができる。
【００６５】
また、上記実施形態１並びに変形例２、３にあっては、容器本体１に回動規制部１５を設けるようにしたが、回動規制部１５を設けるか否かは適宜任意に変更することができる。
【００６６】
加えて、上記実施形態１、２にあっては、詰め替え用薄葉紙Ｑとして、上下方向の軸心に沿って複数枚の家庭用薄葉紙Ｐ、…がロール状に巻かれたものを例示したが、これに限られるものではなく、複数枚の家庭用薄葉紙Ｐ、…からなるものであれば如何なるものであっても良い。具体的には、例えば、複数枚の家庭用薄葉紙Ｐ、…が積層されたものであっても良い。
【００６７】
また、その他、具体的な細部構造等についても適宜に変更可能であることは勿論である。
【図面の簡単な説明】
【００６８】
【図１】本発明を適用した実施形態１の家庭用薄葉紙収納容器を示す斜視図である。
【図２】図１のII−II線における家庭用薄葉紙収納容器の断面図である。
【図３】図１の家庭用薄葉紙収納容器の外蓋体を開いた状態を示す斜視図である。
【図４】図３のIV−IV線における家庭用薄葉紙収納容器の断面図である。
【図５】図１の家庭用薄葉紙収納容器の外蓋体及び内蓋体を開いた状態を示す断面図である。
【図６】本発明を適用した実施形態２の家庭用薄葉紙収納容器の外蓋体を開いた状態を示す断面図である。
【図７】図６の家庭用薄葉紙収納容器の外蓋体及び内蓋体を開いた状態を示す断面図である。
【図８】変形例１の家庭用薄葉紙収納容器の外蓋体を閉じた状態を示す断面図である。
【図９】変形例２の家庭用薄葉紙収納容器の外蓋体を開いた状態を示す斜視図である。
【図１０】変形例３の家庭用薄葉紙収納容器の外蓋体を開いた状態を示す斜視図である。
【図１１】変形例４の家庭用薄葉紙収納容器の外蓋体及び内蓋体を開いた状態を示す断面図である。
【符号の説明】
【００６９】
１００、２００、３００、４００、５００、６００  家庭用薄葉紙収納容器
１、２０１  容器本体
１１、２１１  開口部
２、２０２、３０２、５０２、６０２  内蓋体
２１、４２１、５２１  取出口
２３、２２３、６２３  内蓋回動軸
５２４  挿通部
３、３０３  外蓋体
３１    外蓋回動軸
３２    外気密部（外蓋気密手段）
Ｐ      家庭用薄葉紙
Ｑ      詰め替え用薄葉紙
【図１】
0005252965.tif 000002
【図２】
0005252965.tif 000003
【図３】
0005252965.tif 000004
【図４】
0005252965.tif 000005
【図５】
0005252965.tif 000006
【図６】
0005252965.tif 000007
【図７】
0005252965.tif 000008
【図８】
0005252965.tif 000009
【図９】
0005252965.tif 000010
【図１０】
0005252965.tif 000011
【図１１】
0005252965.tif 000012